(57)【要約】【課題】  搬送されるシート（用紙）にねじれや歪みを生じさせることなく、簡易かつ安価な構成でシートの幅寄せを行えるようにすること。【解決手段】  発券装置１では、ロール紙１０ａから繰り出されて搬送経路２０Ａを通って搬送されてきた用紙１００ａを、螺旋状に巻回された幅寄ガイド４０に沿って周回させて、図１中、搬送経路２０Ａよりも奥側に設けられている共通搬送経路２０Ｃの方に幅寄せした上で共通搬送経路２０Ｃへと導く。【選択図】      図１
2005187151.tif 000002
【特許請求の範囲】
【請求項１】
第１の搬送経路と、
前記第１の搬送経路と略平行に設けられた第２の搬送経路と、
前記第１の搬送経路を通って搬送されてきたシートを前記第２の搬送経路の側に幅寄せした上で前記第２の搬送経路へと導くガイドであり、前記シートが内部を通過する略筒状の部材を螺旋状に巻回してなるガイドと
を備えることを特徴とする搬送装置。
【請求項２】
前記略筒状の部材は、複数の板状の部材により構成されている
ことを特徴とする請求項１に記載の搬送装置。
【請求項３】
第１の搬送経路と、
前記第１の搬送経路と略平行に設けられた第２の搬送経路と、
前記第１の搬送経路を通って搬送されてきたシートを前記第２の搬送経路の側に幅寄せした上で前記第２の搬送経路へと導くガイドであり、前記シートの厚み以上となる間隔をあけて略平行に配置された上下２枚の板状の部材を螺旋状に巻回してなるガイドと
を備えることを特徴とする搬送装置。
【請求項４】
前記上下２枚の板状の部材が前記シートの厚み以上となる間隔をあけて略平行に配置されるように前記上下２枚の板状の部材を支持する支持部材をさらに備える
ことを特徴とする請求項３に記載の搬送装置。
【請求項５】
前記上下２枚の板状の部材の、前記シートの搬送される方向に対して垂直方向となる幅は、前記シートの前記垂直方向の幅以上である
ことを特徴とする請求項３に記載の搬送装置。
【請求項６】
第１の搬送経路と、
前記第１の搬送経路と略平行に設けられた第２の搬送経路と、
前記第１の搬送経路を通って搬送されてきたシートを前記第２の搬送経路の側に幅寄せした上で前記第２の搬送経路へと導くガイドであり、螺旋状に巻回された略板状の部材により構成され、当該部材の、前記シートと接する側の面には、前記シートが搬送される方向に沿って前記シートが内側を通過可能な間隔をあけて両側に凸部が設けられているガイドと
を備えることを特徴とする搬送装置。
【請求項７】
ロールシートに巻回されたシートを前記第１の搬送経路に繰り出して搬送する搬送手段をさらに備える
ことを特徴とする請求項１、３、６のいずれかに記載の搬送装置。
【請求項８】
第１の搬送経路と、
前記第１の搬送経路と略平行に設けられた第２の搬送経路と、
前記第１の搬送経路を通って搬送されてきたシートを前記第２の搬送経路の側に幅寄せした上で前記第２の搬送経路へと導くガイドであり、前記シートが内部を通過する略筒状の部材を螺旋状に巻回してなるガイドと、
前記第２の搬送経路を通って搬送されてきた用紙を加工してチケットを作成し、当該チケットを発券する発券手段と
を備えることを特徴とする発券装置。
【請求項９】
第１の搬送経路と、
前記第１の搬送経路と略平行に設けられた第２の搬送経路と、
前記第１の搬送経路を通って搬送されてきたシートを前記第２の搬送経路の側に幅寄せした上で前記第２の搬送経路へと導くガイドであり、前記シートの厚み以上となる間隔をあけて略平行に配置された上下２枚の板状の部材を螺旋状に巻回してなるガイドと、
前記第２の搬送経路を通って搬送されてきた用紙を加工してチケットを作成し、当該チケットを発券する発券手段と
を備えることを特徴とする発券装置。
【請求項１０】
第１の搬送経路と、
前記第１の搬送経路と略平行に設けられた第２の搬送経路と、
前記第１の搬送経路を通って搬送されてきたシートを前記第２の搬送経路の側に幅寄せした上で前記第２の搬送経路へと導くガイドであり、螺旋状に巻回された略板状の部材により構成され、当該部材の、前記シートと接する側の面には、前記シートが搬送される方向に沿って前記シートが内側を通過可能な間隔をあけて両側に凸部が設けられているガイドと、
前記第２の搬送経路を通って搬送されてきた用紙を加工してチケットを作成し、当該チケットを発券する発券手段と
を備えることを特徴とする発券装置。
【発明の詳細な説明】
【技術分野】
【０００１】
本発明は、シートを搬送するための技術に関する。
【背景技術】
【０００２】
ロール紙から繰り出された用紙を加工して乗車券や食券等のチケットを発券する発券装置がある。この種の発券装置の中には、ロール紙がなくなった場合に、新たなロール紙を補填するまでチケットを発券することができないという問題に対処するため、ロール紙を複数収容し、使用中のロール紙がなくなった場合に、別のロール紙から用紙を繰り出して発券処理を継続するようにしたものがある。また、異なるロール紙から繰り出された用紙を使い分けて複数種類のチケットを１台の発券装置で発券できるようにしたものがある。
【０００３】
このように複数のロール紙を収容する発券装置では、部品点数の削減や発券装置の小型化を図るため、チケットの図柄等を印刷する印刷部や磁気データの書き込みを行うエンコード部を、ロール紙毎に個別に設けず共用化している場合がほとんどである。このような場合、印刷部やエンコード部は共通の搬送経路に沿って設けられ、共通の搬送経路の手前で、各ロール紙から繰り出された用紙の中から共通の搬送経路に供給される用紙が切り替えられる。
【０００４】
例えば、図６に示すように、発券装置内に、あるロール紙から繰り出された用紙１００ａを搬送する搬送経路２０Ａと、別のロール紙から繰り出された用紙１００ｂを搬送する搬送経路２０Ｂとが並設される一方、搬送経路２０Ａを通って搬送されてきた用紙１００ａと、搬送経路２０Ｂを通って搬送されてきた用紙１００ｂとの搬送に共用され、印刷部やエンコード部が備わる共通搬送経路２０Ｃが設けられている場合、用紙１００ｂを使用する際には、搬送経路２０Ｂを通って搬送されてきた用紙１００ｂをそのまま共通搬送経路２０Ｃへと導けばよい。しかしながら、用紙１００ａを使用する際には、搬送方向に対して垂直方向となる用紙１００ａの横幅（Ｗ）が比較的大きい場合、搬送経路２０Ａと共通搬送経路２０Ｃの間に比較的長い距離Ｌを取らないと、用紙１００ａを共通搬送経路２０Ｃへと導く際に用紙１００ａにねじれや歪みが生じてしまったり、搬送経路２０Ａと共通搬送経路２０Ｃの間で用紙１００ａが紙詰まりを起こしてしまう恐れがある。
【０００５】
このため、特許文献１に記載された発券装置１では、２つのロール紙Ａの各々から繰り出された用紙のうち、券繰出し経路４ｂを通過してきた用紙を幅寄ローラ９にて巻回し、幅寄ローラ９の外周面に沿って螺旋状に周回させることで、ねじれや歪みを生じさせることなく用紙を券共通搬送路５の側に幅寄せして券共通搬送路５へと導いている。同様に、特許文献２には、各ロール紙Ｒ１，Ｒ２から繰り出された用紙のうち、第１の搬送路１６を通過してきた用紙を円柱状の経路変更部材４０に巻き付けることで共通の搬送路の側に幅寄せして共通の搬送路へと導くことが記載されている。
【０００６】
【特許文献１】特開平５−２２５４１１号公報
【特許文献２】特開２０００−２９３７１３号公報
【発明の開示】
【発明が解決しようとする課題】
【０００７】
ところで、特許文献１，２に記載された技術では、搬送される用紙の幅寄せを行うために、幅寄用のローラと、このローラを回転可能に支持するための支持部材と、幅寄用のローラを回転させるための駆動回路とを発券装置に組み込まなければならず、発券装置のコストアップを招いてしまう。また、幅寄用のローラや支持部材、駆動回路を設置するためのスペースを発券装置内に確保しなければならないが、特に、幅寄用のローラは、斜めに傾けて設置しなければならないこともあり、比較的大きな設置スペースが必要となる。
【０００８】
本発明は、以上説明した事情に鑑みてなされたものであり、その目的は、搬送されるシート（用紙）にねじれや歪みを生じさせることなく、簡易かつ安価な構成でシートの幅寄せを行えるようにすることである。
【課題を解決するための手段】
【０００９】
上記課題を解決するために、本発明は、第１の搬送経路と、前記第１の搬送経路と略平行に設けられた第２の搬送経路と、前記第１の搬送経路を通って搬送されてきたシートを前記第２の搬送経路の側に幅寄せした上で前記第２の搬送経路へと導くガイドであり、前記シートが内部を通過する略筒状の部材を螺旋状に巻回してなるガイドとを備える搬送装置を提供する。
【００１０】
また、本発明は、第１の搬送経路と、前記第１の搬送経路と略平行に設けられた第２の搬送経路と、前記第１の搬送経路を通って搬送されてきたシートを前記第２の搬送経路の側に幅寄せした上で前記第２の搬送経路へと導くガイドであり、前記シートの厚み以上となる間隔をあけて略平行に配置された上下２枚の板状の部材を螺旋状に巻回してなるガイドとを備える搬送装置を提供する。
【００１１】
また、本発明は、第１の搬送経路と、前記第１の搬送経路と略平行に設けられた第２の搬送経路と、前記第１の搬送経路を通って搬送されてきたシートを前記第２の搬送経路の側に幅寄せした上で前記第２の搬送経路へと導くガイドであり、螺旋状に巻回された略板状の部材により構成され、当該部材の、前記シートと接する側の面には、前記シートが搬送される方向に沿って前記シートが内側を通過可能な間隔をあけて両側に凸部が設けられているガイドとを備える搬送装置を提供する。
【００１２】
かかる構成によれば、搬送装置は、第１の搬送経路を通って搬送されてきたシートを、螺旋状に巻回されたガイドに沿って周回させて第２の搬送経路の側に幅寄せした上で第２の搬送経路へと導く。
【００１３】
また、本発明は、第１の搬送経路と、前記第１の搬送経路と略平行に設けられた第２の搬送経路と、前記第１の搬送経路を通って搬送されてきたシートを前記第２の搬送経路の側に幅寄せした上で前記第２の搬送経路へと導くガイドであり、前記シートが内部を通過する略筒状の部材を螺旋状に巻回してなるガイドと、前記第２の搬送経路を通って搬送されてきた用紙を加工してチケットを作成し、当該チケットを発券する発券手段とを備える発券装置を提供する。
【００１４】
また、本発明は、第１の搬送経路と、前記第１の搬送経路と略平行に設けられた第２の搬送経路と、前記第１の搬送経路を通って搬送されてきたシートを前記第２の搬送経路の側に幅寄せした上で前記第２の搬送経路へと導くガイドであり、前記シートの厚み以上となる間隔をあけて略平行に配置された上下２枚の板状の部材を螺旋状に巻回してなるガイドと、前記第２の搬送経路を通って搬送されてきた用紙を加工してチケットを作成し、当該チケットを発券する発券手段とを備える発券装置を提供する。
【００１５】
また、本発明は、第１の搬送経路と、前記第１の搬送経路と略平行に設けられた第２の搬送経路と、前記第１の搬送経路を通って搬送されてきたシートを前記第２の搬送経路の側に幅寄せした上で前記第２の搬送経路へと導くガイドであり、螺旋状に巻回された略板状の部材により構成され、当該部材の、前記シートと接する側の面には、前記シートが搬送される方向に沿って前記シートが内側を通過可能な間隔をあけて両側に凸部が設けられているガイドと、前記第２の搬送経路を通って搬送されてきた用紙を加工してチケットを作成し、当該チケットを発券する発券手段とを備える発券装置を提供する。
【００１６】
かかる構成によれば、発券装置は、第１の搬送経路を通って搬送されてきたシートを、螺旋状に巻回されたガイドに沿って周回させて第２の搬送経路の側に幅寄せした上で第２の搬送経路へと導く。
【発明の効果】
【００１７】
本発明によれば、搬送されるシートにねじれや歪みを生じさせることなく、簡易かつ安価な構成でシートの幅寄せを行うことができる。
【発明を実施するための最良の形態】
【００１８】
以下、図面を参照して本発明の実施形態について説明する。
図１は、本実施形態に係る発券装置１の内部構造を例示する図である。同図に示すように、この発券装置１には、２つのロール紙１０ａ，１０ｂが並んで収容され、ロール紙１０ａから繰り出された用紙１００ａを搬送する搬送経路２０Ａと、ロール紙１０ｂから繰り出された用紙１００ｂを搬送する搬送経路２０Ｂと、搬送経路２０Ａを通って搬送されてきた用紙１００ａおよび搬送経路２０Ｂを通って搬送されてきた用紙１００ｂの搬送に共用される共通搬送経路２０Ｃとが設けられている。
【００１９】
ロール紙１０ａ，１０ｂには、チケット作成用の用紙が巻回されている。ロール紙１０ａから繰り出された用紙１００ａは、搬送経路２０Ａ上に設けられた搬送ローラ３０a1，３０a2，３０a3によって幅寄ガイド４０の手前まで搬送される。一方、ロール紙１０ｂから繰り出された用紙１００ｂは、搬送経路２０Ｂ上に設けられた搬送ローラ３０b1，３０b2，３０b3によって共通搬送経路２０Ｃの手前まで搬送される。
【００２０】
幅寄ガイド４０は、搬送経路２０Ａを通って搬送されてきた用紙１００ａを、図１中、搬送経路２０Ａよりも奥側に設けられている搬送経路２０Ｂの方に幅寄せした上で共通搬送経路２０Ｃへと導くガイドである。この幅寄ガイド４０は、用紙１００ａが内部を通過可能な略筒状の部材を螺旋状に形成して構成されている。
【００２１】
共通搬送経路２０Ｃには、搬送経路２０Ａを通って搬送されてきた用紙１００ａまたは搬送経路２０Ｂを通って搬送されてきた用紙１００ｂのいずれか一方が択一的に供給される。この共通搬送経路２０Ｃに沿って、裁断部５０と、印刷部６０と、エンコード部７０とが設けられている。なお、以降、本明細書では、特に区別をする必要がない限り、共通搬送経路２０Ｃに供給される用紙１００ａ，１００ｂを「用紙１００」と記載する。
【００２２】
裁断部５０は、搬送されてきた用紙１００をチケットのサイズに裁断する。印刷部６０は、裁断された用紙１００に対してチケットの図柄や文字を印刷する。エンコード部７０は、裁断され、図柄や文字が印刷された用紙１００に対して、チケットの種別コードや発券日時、有効期限等を示す情報を磁気データとして書き込む。なお、ロール紙１０ａ，１０ｂに巻回されている用紙１００ａ，１００ｂの裏面には、上述した種別コードや発券日時、有効期限等を示す情報の書き込みと、書き込まれた情報の保持を可能するための磁気記録用の表面加工が施されている。
【００２３】
以上のようにして作成されたチケットは、図示を省略したチケット排出口へと搬送されて排出される。なお、搬送ローラ３０c1，３０c2，３０c3，３０c4は、共通搬送経路２０Ｃにおいて用紙１００を搬送するためのものである。
【００２４】
次に、図２は、図１において太線で示す矢印の方向から見た場合の、幅寄ガイド４０と各搬送経路２０Ａ，２０Ｂ，２０Ｃの位置関係について示す図である。同図に示すように、搬送経路２０Ａを通って搬送されてきた用紙１００ａは、幅寄ガイド４０に沿って螺旋状に周回させられて、搬送経路２０Ａと平行に設けられた搬送経路２０Ｂの側に幅寄せされた上で共通搬送経路２０Ｃへと導かれる。このように用紙１００ａは、幅寄ガイド４０に沿って螺旋状に周回させられるので、搬送経路２０Ａから共通搬送経路２０Ｃへ直線的に導かれる場合よりも長い距離をかけて共通搬送経路２０Ｃの側に幅寄せされる。したがって、搬送経路２０Ａと共通搬送経路２０Ｃの間の距離Ｌをそれほど大きく取らなくても、ねじれや歪みを生じさせることなく用紙１００ａを共通搬送経路２０Ｃへと導くことができるのである。なお、搬送経路２０Ｂを通って搬送されてきた用紙１００ｂは、幅寄ガイド４０の下方を通って共通搬送経路２０Ｃへと供給される。
【００２５】
幅寄ガイド４０には、図３に示すように、用紙１００ａの厚み以上となる縦幅Ｙと、用紙１００ａの横幅以上となる横幅Ｘとを有する搬送孔４０ａが、搬送方向に沿って形成されている。用紙１００ａは、この搬送孔４０ａを通って搬送経路２０Ａから共通搬送経路２０Ｃへと導かれる。また、この幅寄ガイド４０は、例えば、図４(ａ)に示すように、両方の側縁部に凸部４１ａが形成された２枚の板状の部材４１を、互いに凸部４１ａが対向するように貼り合せ、これを螺旋状に１回転だけ巻回させて製作される。
【００２６】
なお、凸部４１ａは、用紙１００ａの厚み以上となる間隔を２枚の板状の部材４１間に確保するとともに、搬送中の用紙１００ａが幅寄ガイド４０からはみ出てしまうことを防ぐ役割を果たしている。また、板状の部材４１の材質は、プラスチック等、螺旋状に形成することが比較的容易であって、かつ、一度、螺旋状に形成された後はその形状を維持できるものであればよい。勿論、図４(ｂ)に示すように、搬送孔４０ａが形成された筒状の部材４２を螺旋状に巻回して幅寄ガイド４０を製作してもよい。さらに、図５に示すように、用紙１００ａの搬送方向に沿って延びる２本のスペーサ４４ａ，４４ｂを両方の側縁部に挟んで２枚の板状の部材４３を貼り合わせ、これを螺旋状に巻回して幅寄ガイド４０を製作してもよい。なお、スペーサ４４ａ，４４ｂの役割は、上述した凸部４１ａと同じである。
【００２７】
以上説明したように本実施形態によれば、発券装置１では、ロール紙１０ａから繰り出されて搬送経路２０Ａを通って搬送されてきた用紙１００ａを、螺旋状に巻回された幅寄ガイド４０に沿って周回させて共通搬送経路２０Ｃの側に幅寄せした上で共通搬送経路２０Ｃへと導く。したがって、搬送経路２０Ａと共通搬送経路２０Ｃの間の距離Ｌをそれほど大きく取らなくても、ねじれや歪みを生じさせることなく用紙１００ａを共通搬送経路２０Ｃへと導くことができる。また、特許文献１，２に記載された技術のように、幅寄用のローラやその駆動回路等を発券装置１に組み込む必要がないので、発券装置１の製造コストを低減できるとともに、用紙１００ａを幅寄せするために必要となる部材の設置スペースを縮小できる。さらに、幅寄ガイド４０を簡単かつ安価に製作できる。
【００２８】
［変形例］
（１）上述した実施形態では、螺旋状に１回転させた幅寄ガイド４０を例示したが、螺旋状に巻回する巻数は１回に限定されず、幅寄せする距離等に応じて適宜変更可能である。また、用紙１００ａの搬送速度や、用紙１００ａの紙質、螺旋の大きさにもよるが、幅寄ガイド４０は、必ずしも図４(ｂ)に示したような筒状の部材４２により構成されている必要はない。例えば、図４（ａ）に示した１枚の板状の部材４１を、凸部４１ａの設けられた面が螺旋の内側を向くように螺旋状に巻回した幅寄ガイドであってもよい。
【００２９】
（２）また、幅寄せする距離や螺旋の大きさ等によるが、幅寄ガイド４０は、図４(ｂ)に示した筒状の部材４２や、図４(ａ)に示した板状の部材４１、あるいは図５に示した構造のように、搬送中の用紙１００ａが幅寄ガイド４０の側縁部分からはみ出てしまうことを防ぐための側壁や凸部４１ａ、スペーサ４４ａ，４４ｂが設けられていなくてもよい。本願の発明者らは、実験の結果、幅寄せする距離が比較的小さい場合等、一定の条件下では、幅寄ガイド４０に側壁や凸部４１ａ、スペーサ４４ａ，４４ｂ等を設けなくても、用紙１００ａが幅寄ガイド４０に沿って螺旋状に周回させられて、共通搬送経路２０Ｃへ支障無く導かれることを確認している。
【００３０】
但し、この場合は、幅寄ガイド４０を構成し、螺旋状に巻回された上下２枚の板状の部材間に、用紙１００ａが通過し得るだけの間隔、すなわち用紙１００ａの厚み以上となる間隔を保つ必要がある。このため、螺旋状に巻回された上下２枚の板状の部材が用紙１００ａの厚み以上となる間隔をあけて略平行に配置されるように上下２枚の板状の部材を支持する支持部材が必要となる。例えば、上下２枚の板状の部材間に用紙１００ａの搬送方向に沿って両方の側縁部の所々に柱状のスペーサを設け、この柱状の複数のスペーサを支持部材とすることができる。また、このようなスペーサを上下２枚の板状の部材間に設けずとも、用紙１００ａの厚み以上となる間隔をあけて上下２枚の板状の部材が略平行に配置されるように上下２枚の板状の部材を外部から支持する支持部材を設けてもよい。なお、以上説明したように幅寄ガイド４０に側壁や凸部４１ａ、スペーサ４４ａ，４４ｂ等を設けない場合、上下２枚の板状の部材は、用紙１００ａの搬送方向に対して垂直方向となる横幅が、用紙１００ａの横幅と略同じか、それ以上であることが望ましい。
【００３１】
（３）上述した実施形態では、乗車券や入場券、食券等のチケットを発行する発券装置１に本発明を適用した場合について説明したが、例えば、複数のロール紙を収容し、使用中のロール紙がなくなった場合に、別のロール紙から用紙を繰り出してレシートの印刷を継続するキャッシュレジスタや、異なるロール紙から繰り出された用紙を使い分けて画像や文字を印刷するプリンタ等に本発明を適用してもよい。また、搬送される用紙は、ロール紙から繰り出される用紙に限定されず、搬送方向に対して垂直方向の横幅が比較的大きな用紙であればよい。さらに、紙以外の、例えば、一定の柔軟性を有するプラスチックの薄板や、塩化ビニール製のシート等を搬送してもよい。
【図面の簡単な説明】
【００３２】
【図１】発券装置１の内部構造を例示する図である。
【図２】図１において太線で示す矢印の方向から見た場合の、幅寄ガイド４０と各搬送経路２０Ａ，２０Ｂ，２０Ｃの位置関係について示す図である。
【図３】幅寄ガイド４０について示す斜視図である。
【図４（ａ）】幅寄ガイド４０を製作するために用いられる板状の部材４１について示す図である。
【図４（ｂ）】幅寄ガイド４０を製作するために用いられる筒状の部材４２について示す図である。
【図５】幅寄ガイド４０を製作するために用いられる板状の部材４３とスペーサ４４ａ，４４ｂについて示す断面図である。
【図６】従来の技術について説明するための図である。
【符号の説明】
【００３３】
１…発券装置、１０ａ，１０ｂ…ロール紙、１００ａ，１００ｂ…用紙、２０Ａ，２０Ｂ…搬送経路、２０Ｃ…共通搬送経路、３０a1〜３０a3，３０b1〜３０b3，３０c1〜３０c4…搬送ローラ、４０…幅寄ガイド、４０ａ…搬送孔、４１，４３…板状の部材、４１ａ…凸部、４２…筒状の部材、４４ａ，４４ｂ…スペーサ、５０…裁断部、６０…印刷部、７０…エンコード部。
【図１】
2005187151.tif 000003
【図２】
2005187151.tif 000004
【図３】
2005187151.tif 000005
【図４（ａ）】
2005187151.tif 000006
【図４（ｂ）】
2005187151.tif 000007
【図５】
2005187151.tif 000008
【図６】
2005187151.tif 000009